(57)【要約】【課題】  開放されたままのヘッド部用開口部を覆い、ディスクカートリッジに収納された光ディスクの保護を図る。【解決手段】  光ディスク６を回転可能に収納したディスクカートリッジ１の一方の面に設けたヘッド部用開口部１３を覆う開口部閉塞板２２と、ディスクカートリッジ１の側面に係合して開口部閉塞板２２をディスクカートリッジ１に支持する２３〜２６とを有し、ディスクカートリッジ１の他方の面側を開放した状態でディスクカートリッジ１に支持される。【選択図】  図２
2006164453.tif 000002
【特許請求の範囲】
【請求項１】
ディスクを回転可能に収納したディスクカートリッジの一方の面に設けられた上記ディスクの一部を内外周に亘って外方に臨ませる開口部を覆う開口部閉塞板と、
上記ディスクカートリッジの側面に係合して上記開口部閉塞板を上記ディスクカートリッジに支持するカートリッジ支持部とを有し、
上記ディスクカートリッジの他方の面側を開放した状態で上記ディスクカートリッジに支持されることを特徴とするディスクカートリッジ用の保護部材。
【請求項２】
上記カートリッジ支持部は、ディスクカートリッジの側面に設けた凹部に係合し上記ディスクカートリッジを支持することを特徴とする請求項１記載のディスクカートリッジ用の保護部材。
【請求項３】
上記開口部閉塞板は、ディスクカートリッジに取り付けられたとき、上記ディスクカートリッジのディスク記録及び／又は再生装置への誤挿入を防止する誤挿入防止部とされることを特徴とする請求項１記載のディスクカートリッジ用の保護部材。
【請求項４】
上記開口部閉塞板は、ディスクカートリッジの厚さを厚くし、又はディスクカートリッジの平面形状を大きくして、上記ディスクカートリッジのディスク記録及び／又は再生装置への誤挿入を防止する誤挿入防止部とされることを特徴とする請求項３記載のディスクカートリッジ用の保護部材。
【請求項５】
上記開口部閉塞板は、ディスクカートリッジの一方の面を透視可能となす透明な材料により形成されていることを特徴とする請求項１記載のディスクカートリッジ用の保護部材。
【請求項６】
ディスクと、
上記ディスクを回転可能に収納し、上記ディスクの一部を内外周に亘って外方に臨ませる開口部を一方の面に形成したカートリッジ本体と、
上記開口部を閉塞して上記カートリッジ本体の一方の面側を覆う開口部閉塞板と、上記開口部閉塞板を上記カートリッジ本体に支持する支持部とからなる保護部材を備え、
上記保護部材が、上記カートリッジ本体の他方の面側を開放した状態で支持されることを特徴とするディスクカートリッジ。
【発明の詳細な説明】
【技術分野】
【０００１】
本発明は、情報記録媒体として用いられる光ディスク等のディスクを収納したディスクカートリッジに着脱可能に装着され、ディスクカートリッジに設けられたディスクの一部を内外周に亘って外方に臨ませる記録及び／又は再生部を臨ませるための開口部を閉塞する開口部閉塞板を備えたディスクカートリッジ用の保護部材及びこの保護部材を用いたディスクカートリッジに関する。
【背景技術】
【０００２】
従来、情報記録媒体として用いられる光ディスク等のディスクをカートリッジ本体に回転可能に収納し、ディスクをカートリッジ本体に収納したままの状態で記録及び／又は再生装置に装着されるディスクカートリッジが広く用いられている。この種のディスクカートリッジは、光ディスク等のディスクをカートリッジ本体に収納することにより、ディスクを図り、ディスク記録及び／又は再生装置への装脱を容易に行うことを可能としている。
【０００３】
この種のディスクカートリッジにあっては、カートリッジ本体に収納した例えば光ディスクの信号記録領域の一部を、光ディスクの内外周に亘って外方に臨ませる記録及び／又は再生用の開口部が設けられている。記録及び／又は再生用の開口部には、ディスク記録及び／又は再生装置側に設けた記録再生手段を構成する光ピックアップ装置や磁気ヘッド装置が臨み、これら光ピックアップ装置及び／又は磁気ヘッド装置により光ディスクの信号記録領域を走査することによって、光ディスクに対する情報信号の記録又は再生が行われる。
【０００４】
ところで、カートリッジ本体に設けた記録及び／又は再生用の開口部が開放されたままの状態に置かれると、ディスクカートリッジの保管時に塵埃がカートリッジ本体内に侵入し、光ディスクを汚損させ、さらにディスク記録及び／又は再生装置への装脱時等の取り扱い時に、カートリッジ本体内に侵入する異物により光ディスクを損傷させてしまうおそれがある。
【０００５】
このような問題点を解消するため、ディスクカートリッジには、記録及び／又は再生用開口部を開閉するシャッタ部材が設けられている。シャッタ部材が設けられることにより、ディスク記録及び／又は再生装置に装着されない保管時等において、記録及び／又は再生用開口部がシャッタ部材により閉塞された状態に置かれるので、カートリッジ本体に収納した光ディスクの確実な保護を図ることができる。
【０００６】
この種のディスクカートリッジにおいて、記録及び／又は再生用開口部を開閉するシャッタ部材をディスクカートリッジに着脱自在としたものが特許文献１に開示されている。
【０００７】
【特許文献１】特開２００３−１０９３５０号
【発明の開示】
【発明が解決しようとする課題】
【０００８】
ところで、情報記録媒体として用いられるディスク状記録媒体、特に、光学手段を用いて情報の記録又は再生を行うようにした光ディスクにあっては、高記録密度化が図られるとともに、高容量化が図られている。その結果、光ディスクにあっては、小型化を図りながら高容量化を実現し、人の掌に乗る程度に小型化されたものが提案されている。
【０００９】
このように小型化されたディスクカートリッジにおいても、記録及び／又は再生用の開口部をディスクカートリッジの小型化に合わせて小さくすることが困難である。
【００１０】
例えば、光ディスクの信号記録領域を走査して情報信号の記録又は再生を行うための光ピックアップは、光ビームを光ディスクに集光するための対物レンズや、この対物レンズを駆動変位させるためのアクチュエータを必須の構成要素とし、小型化することが困難である。
【００１１】
また、高密度化が図れた光ディスクに対し情報信号を記録し又は再生するためには、光学ピックアップを光ディスクに近付ける必要がある。これは、開口数（ＮＡ）の大きな対物レンズを用いて光ディスク上に集光される光ビームのスポット径を小さくするためである。光ピックアップを光ディスクに近付けるためには、少なくともその一部をディスクカートリッジ内に進入させる必要がある。
【００１２】
ディスクカートリッジの小型化に合わせて小型化を図ることが困難な光ピックアップをディスクカートリッジ内に進入させるためには、記録及び／又は再生用の開口部を大きくする必要がある。ディスクカートリッジの大きさに比し記録及び／又は再生用の開口部が相対的に大きくなると、この開口部を開閉するに足るシャッタ部材をディスクカートリッジの平面内で移動可能に取り付けることができなくなる。そのため、記録及び／又は再生用の開口部を閉塞し、ディスクカートリッジに収納した光ディスクの保護を図ることが困難となる。
【００１３】
本発明の目的は、ディスクカートリッジの大きさに比し大きな記録及び／又は再生用の開口部を閉塞し、ディスクカートリッジに収納した情報記録媒体として用いられる光ディスク等のディスクの保護を図ることができるディスクカートリッジ用の保護部材を提供することにある。
【００１４】
本発明の他の目的は、ディスクカートリッジに設けた記録及び／又は再生用の開口部を確実に閉塞することができるディスクカートリッジ用保護部材を提供することにある。
【００１５】
本発明のさらに他の目的は、ディスクカートリッジに取り付けられて、このディスクカートリッジのディスク記録及び／又は再生装置への誤挿入を防止することができる保護部材を提供することにある。
【００１６】
本発明のさらに他の目的は、光ディスク等のディスクを収納したカートリッジ本体の大きさに比し大きな記録及び／又は再生用の開口部を確実に閉塞し、カートリッジ本体に収納したディスクの保護を図ることができるディスクカートリッジを提供することにある。
【課題を解決するための手段】
【００１７】
上述したような目的を達成するために提案される本発明に係るディスクカートリッジ用の保護部材は、ディスクを回転可能に収納したディスクカートリッジの一方の面に設けられたディスクの一部を内外周に亘って外方に臨ませる開口部を覆う開口部閉塞板と、ディスクカートリッジの側面に係合して開口部閉塞板をディスクカートリッジに支持するカートリッジ支持部とを有し、ディスクカートリッジの他方の面側を開放した状態でディスクカートリッジに支持される。
【００１８】
また、カートリッジ支持部は、ディスクカートリッジの側面に設けた凹部に係合しディスクカートリッジを支持する。
【００１９】
開口部閉塞板は、ディスクカートリッジに取り付けられたとき、ディスクカートリッジのディスク記録及び／又は再生装置への誤挿入を防止する誤挿入防止部として用いることができる。この開口部閉塞板は、ディスクカートリッジの厚さを厚くし、又はディスクカートリッジの平面形状を大きくして、ディスクカートリッジのディスク記録及び／又は再生装置への誤挿入を防止する誤挿入防止部とされる。
【００２０】
開口部閉塞板は、ディスクカートリッジの一方の面を透視可能となす透明な材料により形成されることにより、ディスクカートリッジの一方の面に設けたラベル等を外部から透視可能とする。
【００２１】
また、本発明は、ディスクと、ディスクを回転可能に収納し、ディスクの一部を内外周に亘って外方に臨ませる開口部を一方の面に形成したカートリッジ本体と、開口部を閉塞してカートリッジ本体の一方の面側を覆う開口部閉塞板と、開口部閉塞板をカートリッジ本体に支持する支持部とからなる保護部材を備え、保護部材が、カートリッジ本体の他方の面側を開放した状態で支持されるようにしたディスクカートリッジである。
【発明の効果】
【００２２】
本発明に係るディスクカートリッジ用の保護部材は、ディスクカートリッジに取り付けられたとき、ディスクカートリッジに設けたディスクを外方に臨ませる開口部を閉塞し、収納したディスクの保護を図ることができる。
【００２３】
また、本発明に係るディスクカートリッジ用の保護部材は、開口部閉塞板により覆われることがない他方の面の全体を開放するので、ディスクカートリッジの他方の面に設けた記録内容を記載したラベルや印刷部を覆うことがないので、記録内容を直ちに読み取ることができるばかりか、保護部材にさらにラベル等を設ける必要がなくなる。
【００２４】
さらに、ディスクカートリッジ用の保護部材は、ディスクカートリッジに取り付けられることにより、このディスクカートリッジのディスク記録及び／又は再生装置への誤挿入を防止できる。
【００２５】
さらにまた、本発明に係るディスクカートリッジは、ディスクを外方に臨ませる開口部を、着脱自在な保護部材により閉塞されるので、カートリッジ本体に比し大きく形成した開口部をも確実に閉塞し、カートリッジ本体に収納したディスクの確実な保護を図ることができる。
【発明を実施するための最良の形態】
【００２６】
以下、本発明に係るディスクカートリッジ用の保護部材及びこの保護部材が取り付けられるディスクカートリッジを図面を参照して説明する。
【００２７】
本発明に係るディスクカートリッジ用の保護部材が着脱自在に取り付けられるディスクカートリッジを説明すると、このディスクカートリッジ１は、図１及び図２に示すように、上下一対のハーフ３，４を突き合わせ結合して形成したカートリッジ本体５を備え、このカートリッジ本体５内に情報記録媒体として用いられるディスクである光ディスク６を回転可能に収納している。
【００２８】
このディスクカートリッジ１は、例えばテレビジョンゲームを実行するプログラムデータやビデオデータが記録された光ディスク６を収納したものであり、しかも、極めて小型に構成されている。そして、ディスクカートリッジ１は、例えば、直径を６０ｍｍ程度とする小径の光ディスク６を収納したものであって、片手の掌に収納し得る程度の大きさに形成されている。
【００２９】
なお、ここに示すディスクカートリッジ１は、プログラムデータ等の情報信号が予め記録された再生専用型の光ディスク６を収納したものである。
【００３０】
ディスクカートリッジ１を構成するカートリッジ本体５は、図１及び図２に示すように、このディスクカートリッジ１が装着されるディスク記録及び／又は再生装置への挿入端側となる前面を円弧状部７として形成している。この円弧状部７は、カートリッジ本体５内に構成されたディスク収納部８に収納された光ディスク６の中心を中心として半径を一定にしたほぼ半円の円弧状に形成されている。すなわち、円弧状部７は、カートリッジ本体５に収納された光ディスク６の半円に相当する部分と対向するような半円として形成されている。
【００３１】
カートリッジ本体５の円弧状部７に連続する相対向する側面は、互いに平行な側面９，１０として形成され、円弧状部７と対向する背面は、なだらかに湾曲して連続した湾曲部１１として形成されている。すなわち、カートリッジ本体５の背面側は、カートリッジ本体５の前面側に構成された半円状の円弧状部７より大きな半径である円弧状部７より曲率が小さい湾曲部１１とされている。
【００３２】
ディスクカートリッジ１は、挿入端側をほぼ半円の円弧状部７とし、更に円弧状部７と対向する背面も湾曲部１１としているので、収納する光ディスク６に対し一層の小型化が実現されている。
【００３３】
そして、カートリッジ本体５の下面側を構成する下ハーフ４の中央部には、図２に示すように、カートリッジ本体５に収納した光ディスク６の中心部に形成したセンター穴６ａ及びその周縁を外方に臨ませる円形の中央開口部１２が形成されている。中央開口部１２には、このディスクカートリッジ１が装着されるディスク記録及び／又は再生装置側に設けられたディスク回転駆動機構の一部、例えばターンテーブルが進入する。
【００３４】
カートリッジ本体５の下面側を構成する下ハーフ４には、図２に示すように、記録及び／又は再生用開口部であるヘッド部用開口部１３が形成されている。ヘッド部用開口部１３は、カートリッジ本体５の一の側面９側に位置し、カートリッジ本体５に収納された光ディスク６の信号記録領域の一部を内外周に亘って外方に臨ませる足る大きさの矩形状に形成されている。すなわち、ヘッド部用開口部１３は、カートリッジ本体５の円弧状部７が形成された前面以外の直線状の平坦な面とされた一の側面９に臨んで形成されている。また、ヘッド部用開口部１３は、図２に示すように、下ハーフ４の一の側面９側は切り欠かれて開放されている。
【００３５】
本例のディスクカートリッジ１に設けられるヘッド部用開口部１３は、このディスクカートリッジが用いられるディスク記録及び／又は再生装置側に設けられる記録及び／又は再生手段を構成する光ピックアップの一部を進入させる大きさに形成されている。すなわち、ヘッド部用開口部１３は、光ビームを集光する対物レンズを含み、さらに、光学ピックアップの一部を進入させるに足る大きさに形成されている。したがって、ヘッド部用開口部１３は、カートリッジ本体５の大きさに比し大きな開口面積を有して形成されている。
【００３６】
また、本例のディスクカートリッジ１は、シャッタ部材が設けられたディスクカートリッジが用いられるディスク記録及び／又は再生装置にも装着可能とするように、カートリッジ本体５の一の側面９に、ディスク記録及び／又は再生装置側に設けられるシャッタ部材移動操作片が進入する操作片進入溝１４が設けられている。これは、ディスク記録及び／又は再生装置側に設けたシャッタ部材移動操作片との干渉を防止して、この装置への挿入を可能とするものである。
【００３７】
そして、シャッタ部材が設けられたディスクカートリッジが用いられるディスク記録及び／又は再生装置には、ヘッド部用開口部を閉塞するシャッタ部材をロックするロック機構を操作し、ヘッド部用開口部を開放した位置にシャッタ部材を支持しておくシャッタ部材部材支持機構が設けられる。そこで、本例のディスクカートリッジ１には、この種のディスク記録及び／又は再生装置に装着されたとき、ディスク記録及び／又は再生装置に装着されたとき、シャッタ部材支持機構からの押圧付勢力を回避するための凹部として形成された押圧力回避部１５がカートリッジ本体５の一の側面９に設けられている。
【００３８】
さらに、カートリッジ本体５の一の側面９に対向する他の側面１０側には、このディスクカートリッジ１が上下面を反転させてディスク記録及び／又は再生装置に装着される誤挿入を防止する誤挿入防止溝１６が設けられ、さらに、ディスク記録及び／又は再生装置側のローディング機構の一部を係合させるためのローディング用凹部１７が設けられている。
【００３９】
上述したように開放されたままの状態に置かれるヘッド部用開口部１３は、ディスクカートリッジ１に着脱自在に取り付けられる保護部材２１により閉塞される。
【００４０】
保護部材２１は、図１及び図２に示すように、カートリッジ本体５のヘッド部用開口部１３が形成された面を覆ってヘッド部用開口部１３を開口部閉塞板２２と、ディスクカートリッジ１の側面に係合して開口部閉塞板２２をディスクカートリッジ１に支持する複数の係合爪片２３〜２６からなるカートリッジ支持部とを備える。
【００４１】
本例において、開口部閉塞板２２は、カートリッジ本体５の平面形状に一致する大きさに形成され、カートリッジ本体５の一方の面上に重ね合わせられることによりヘッド部用開口部１３を閉塞する。
【００４２】
ここで、開口部閉塞板２２は、透明な材料により形成されている。開口部閉塞板２２は、透明な材料により形成されることにより、保護部材２１を取り付けた状態でカートリッジ本体５の一方の面側を目視することが可能とされている。
【００４３】
カートリッジ支持部を構成する複数の係合爪片２３〜２６は、開口部閉塞板２２によりカートリッジ本体５の一方の面側を覆ったとき、カートリッジ本体５の側面に形成した凹部、具体的に、操作片進入溝１４、押圧力回避部１５、誤挿入防止溝１６、ローディング用凹部１７にそれぞれ係合する位置に設けられている。また、各係合爪片２３〜２６は、先端部に係止爪２３ａ〜２６ａが設けられ、これら係止爪２３ａ〜２６ａを操作片進入溝１４、押圧力回避部１５、誤挿入防止溝１６、ローディング用凹部１７に係止させてカートリッジ本体５を支持する。
【００４４】
なお、各係合爪片２３〜２６は、弾性変位しながら係止爪２３ａ〜２６ａを操作片進入溝１４、押圧力回避部１５、誤挿入防止溝１６、ローディング用凹部１７に係止するように形成されている。すなわち、各係合爪片２３〜２６は、カートリッジ本体５の側面に圧接することにより、開口部閉塞板２２をカートリッジ本体５に支持する。
【００４５】
開口部閉塞板２２をカートリッジ本体５に支持するための各係合爪片２３〜２６は、先端側の各係合爪片２３〜２６をカートリッジ本体５の側面に形成された操作片進入溝１４、押圧力回避部１５、誤挿入防止溝１６、ローディング用凹部１７に係合させることによってカートリッジ本体５に支持されるので、この保護部材２１をカートリッジ本体５に取り付けたとき、図４に示すように、カートリッジ本体５の他方の面の全面を開放したままの状態とすることができる。
【００４６】
また、保護部材２１には、ヘッド部用開口部１３の下ハーフ４の一の側面９側を切り欠いて開放された側面開放部１３ａを閉塞する側面閉塞部２７が設けられている。側面閉塞部２７は、開口部閉塞板２２の一端側に垂下するように形成され、保護部材２１がディスクカートリッジ１に取り付けられたとき、側面開放部１３ａに係合し、開口部閉塞板２２とともに、ヘッド部用開口部１３を閉塞する。
【００４７】
上述のように構成された保護部材２１は、ヘッド部用開口部１３が形成されたカートリッジ本体５の他方の面側に開口部閉塞板２１を重ね、各係合爪片２３〜２６の先端部に設けた係止爪２３ａ〜２６ａを操作片進入溝１４、押圧力回避部１５、誤挿入防止溝１６、ローディング用凹部１７にそれぞれ係合することにより、図３及び図４に示すように、ディスクカートリッジ１に取り付けられる。このとき、開口部閉塞板２２は、カートリッジ本体５の他方の面の全面を覆うことにより、ヘッド部用開口部１３を閉塞する。また、保護部材２１が取り付けられるとき、開口部閉塞板２２が側面開放部１３ａに嵌合する。そして、カートリッジ本体５に設けられたヘッド部用開口部１３は、開口部閉塞板２１と開口部閉塞板２２とにより密閉される。
【００４８】
本発明に係る保護部材２１を取り付けることにより、ヘッド部用開口部１３が閉塞されるので、ディスクカートリッジ１内への塵埃や手指等を進入することを防止でき、ディスクカートリッジ１に収納した光ディスク６の保護を図ることができる。
【００４９】
また、本発明に係る保護部材２１は、図３に示すように、カートリッジ本体５の他方の面の全面を開放したままの状態でディスクカートリッジ１に取り付けられるので、カートリッジ本体５の他方の面に設けられる記録内容を記載したラベルや印刷部を外部にそのまま臨ませることができ、ディスクカートリッジ１に設けた表示部の表示機能を損なうこともない。
【００５０】
ところで、ディスクカートリッジ１が装着されるディスク記録及び／又は再生装置には、ディスクカートリッジ１の挿脱を行うためのカートリッジ挿脱口が設けられている。カートリッジ挿脱口は、規定以外のディスクカートリッジが挿入されないようにするため、装着されるディスクカートリッジに適合する大きさに形成され、異形のディスクカートリッジが装着されないようにしている。
【００５１】
本発明に係る保護部材２１は、開口部閉塞板２１をカートリッジ本体５の一方の面側に重ね合わせるように取り付けられるので、図３及び図４に示すように、ディスクカートリッジ１に取り付けられることにより、ディスクカートリッジ１の全体の厚さを厚くする。そこで、図４及び図５に示すように、開口部閉塞板２１の厚さＤ１を一定以上の厚さとし、ディスクカートリッジ１に取り付けたとき、このディスクカートリッジ１の厚さＤ２を規定の厚さ以上とすることによって、ディスク記録及び／又は再生装置への誤挿入防止部とすることができる。
【００５２】
また、本発明に係る保護部材２１は、開口部閉塞板２１の平面形状を、図６に示すように、カートリッジ本体５の平面形状より大きくすることにより、ディスク記録及び／又は再生装置への誤挿入防止部とすることができる。
【００５３】
上述の説明では、開口部閉塞板２１は、カートリッジ本体５の一方の面側の全面を覆うに足る大きさに形成したに例を挙げて説明したが、少なくともヘッド部用開口部１３を覆うに足る大きさを有し、カートリッジ本体５の側面に設けた操作片進入溝１４、押圧力回避部１５、誤挿入防止溝１６、ローディング用凹部１７に係合する係合爪片２３〜２６を周縁に備えるものであれば、その大きさは上述の例に限られるものではない。
【００５４】
上述の説明では、本発明に係る保護部材２１は、構成を共通にするいずれのディスクカートリッジ１にも着脱自在に装着可能であるので、保護部材２１をもって本発明を構成するように説明したが、この保護部材２１は、特定のディスクカートリッジと組み合わせられて一のディスクカートリッジを構成するものでもあるので、本発明には、ディスクカートリッジを含むものである。
【００５５】
上述したように、本発明に係るディスクカートリッジ用の保護部材２１は、ディスクカートリッジ１に取り付けられてヘッド部用開口部１３を確実に閉塞し、ディスクカートリッジ１に収納した光ディスク６の確実な保護を図ることができる。
【００５６】
また、上述の説明では、光ディスクを収納したディスクカートリッジに用いられる例を挙げて説明したが、磁気ディスクや光磁気ディスク等のディスクを収納したディスクカートリッジに広く適用できることはいうまでもない。
【図面の簡単な説明】
【００５７】
【図１】本発明に係るディスクカートリッジ用の保護部材及びこの保護部材が取り付けられるディスクカートリッジを上ハーフ側から見た斜視図である。
【図２】本発明に係るディスクカートリッジ用の保護部材及びこの保護部材が取り付けられるディスクカートリッジを下ハーフ側から見た斜視図である。
【図３】本発明に係る保護部材をディスクカートリッジに取り付けた状態を上ハーフ側から見た斜視図である。
【図４】本発明に係る保護部材をディスクカートリッジに取り付けた状態を下ハーフ側から見た斜視図である。
【図５】本発明に係る保護部材をディスクカートリッジに取り付けた状態を示す側面図である。
【図６】本発明に係る保護部材の他の例をディスクカートリッジとともに示す斜視図である。
【符号の説明】
【００５８】
１  ディスクカートリッジ、  ５  カートリッジ本体、  ６  光ディスク、  １３  ヘッド部用開口部、  １４  操作片進入溝、  １５  押圧力回避部、  １６  誤挿入防止溝１６、  １７  ローディング用凹部、  ２１  保護部材、  ２２  開口部閉塞板、  ２３〜２６  係合爪片
【図１】
2006164453.tif 000003
【図２】
2006164453.tif 000004
【図３】
2006164453.tif 000005
【図４】
2006164453.tif 000006
【図５】
2006164453.tif 000007
【図６】
2006164453.tif 000008